(57)【要約】【課題】  本発明は、発光色の異なるＬＥＤの輝度比を変化させて混色した混色光の色温度を連続的に変化させることができるようにした、色温度連続可変照明装置及び色温度連続可変照明方法を提供することを目的とする。【解決手段】  各発光色のＬＥＤ３１，３２，３３をそれぞれ駆動・発光させる三つの駆動部２１，２２，２３と、上記各駆動部を指定された輝度比率で発光するように制御する制御部１２と、指定された色温度に対応する指定信号を上記制御部に対して出力する色温度調整入力部１１と、を含んでおり、上記制御部が、前もって登録された各発光色の輝度比率のデータテーブル１２ａを参照して、上記指定信号に基づいて、指定された色温度に対応する各発光色の輝度比率を演算し、演算結果に基づいて各駆動部を制御するように、色温度連続可変照明装置１０を構成する。【選択図】        図１
2007250350.tif 000002
【特許請求の範囲】
【請求項１】
互いに発光色の異なる、それぞれ少なくとも一つの第一のＬＥＤ，第二のＬＥＤ，第三のＬＥＤと、
各発光色のＬＥＤをそれぞれ駆動・発光させる第一の駆動部，第二の駆動部及び第三の駆動部と、
上記各駆動部を指定された輝度比率で発光するように制御する制御部と、
操作者の入力操作に応じて、指定された色温度または色に対応する指定信号を上記制御部に対して出力する色温度調整入力部と、
を含んでおり、
上記制御部が、前もって登録された各発光色の輝度比率のデータテーブルを参照して、上記指定信号に基づいて、指定された色温度または色に対応する各発光色の輝度比率を演算し、演算された各発光色の輝度比率に基づいて各駆動部を制御し、
上記データテーブルが、複数ポイントの色温度または色を実現するための各発光色の輝度比率のデータテーブルであって、上記制御部が、上記指定信号に基づいて、上記データテーブルを参照して、上記ポイント間の色温度または色が指定されたとき、これらのポイント間にて直線補間法により、指定された色温度または色に対応する各発光色の輝度比率を演算する、
ことを特徴とする、色温度連続可変照明装置。
【請求項２】
上記データテーブルが、色度座標上の色を実現するための各発光色の輝度比率のデータテーブルであることを特徴とする、請求項１に記載の色温度連続可変照明装置。
【請求項３】
上記データテーブルが、黒体放射軌跡上の色温度を実現するための各発光色の輝度比率のデータテーブルであることを特徴とする、請求項１に記載の色温度連続可変照明装置。
【請求項４】
上記データテーブルが、制御部に接続された記憶装置に格納されていることを特徴とする、請求項１から３の何れかに記載の色温度連続可変照明装置。
【請求項５】
上記色温度調整入力部が、色温度の対数に対して線形の色温度信号を出力するように構成されており、上記データテーブルが、この線形の色温度信号またはこの色温度信号に所定の演算を行なった線形値に対する各発光色の輝度比率を与えることを特徴とする、請求項３または４に記載の色温度連続可変照明装置。
【請求項６】
上記データテーブルが、各色の輝度比率の代わりに、これらの輝度比率に対応する数値を与えるデータテーブルであって、上記数値が、各色の光束比率，ＬＥＤ駆動デューティ比，ＬＥＤ駆動電流または駆動電圧，ＬＥＤ光出力等のＬＥＤの輝度を調整することができる指標または係数による演算値であり、
上記制御部が、この対応する数値に基づいて、各駆動部を制御することを特徴とする、請求項１から５の何れかに記載の色温度連続可変照明装置。
【請求項７】
指定された色温度または色に対応する指定信号を生成する第一の段階と、
前もって登録された各発光色の輝度比率のデータテーブルを参照して、上記指定信号に基づいて、指定された色温度または色に対応する各発光色の輝度比率を演算する第二の段階と、
演算された各発光色の輝度比率に基づいて各駆動部に制御して、互いに発光色の異なる、それぞれ少なくとも一つの第一のＬＥＤ，第二のＬＥＤ，第三のＬＥＤを所定の輝度比率で駆動制御する第三の段階と、を含み、
上記データテーブルが、複数ポイントの色温度または色を実現するための各発光色の輝度比率のデータテーブルであって、上記第二の段階にて、上記指定信号に基づいて、上記データテーブルを参照して、上記ポイント間の色温度または色が指定されたとき、これらのポイント間にて直線補間法により、指定された色温度または色に対応する各発光色の輝度比率を演算することを特徴とする、色温度連続可変照明方法。
【請求項８】
上記データテーブルが、各色の輝度比率の代わりに、これらの輝度比率に対応する数値を与えるデータテーブルであって、上記第三の段階にて、この対応する数値に基づいて各発光色のＬＥＤを駆動制御し、上記数値が、各色の光束比率，ＬＥＤ駆動デューティ比，ＬＥＤ駆動電流または駆動電圧，ＬＥＤ光出力等のＬＥＤの輝度を調整することができる指標または係数による演算値であることを特徴とする、請求項７に記載の色温度連続可変照明方法。
【発明の詳細な説明】
【技術分野】
【０００１】
本発明は、光源としてＬＥＤを使用した色温度連続可変照明装置及び色温度連続可変照明方法に関するものである。
【背景技術】
【０００２】
従来、ＬＥＤにより白色光を得る場合、青色または青紫色のＬＥＤと、このＬＥＤからの光を波長変換する蛍光体と、を組み合わせて、ＬＥＤの発光色と蛍光体の発光色とを補色関係となるようにして、これらの光の混色により白色を得るようにした、白色ＬＥＤが知られている。
しかしながら、このような構成の白色ＬＥＤは、いずれも蛍光体の量をユーザが調整することはできないので、例えば相関色温度を可変とすることは不可能である。
従って、色温度を変更したい場合には、色温度の異なるＬＥＤ等の照明灯具に交換する必要があった。
【０００３】
これに対して、三原色である例えば赤色，緑色及び青色のＬＥＤに加えて、他の色、例えば橙色，黄色，青緑色のＬＥＤを使用して、これらの光束比を調整して混色することにより、平均演色評価係数Ｒａが高く、所望の相関色温度を得るようにしたＬＥＤも知られている。
しかしながら、この場合、各ＬＥＤからの六種類の光の光束比を調整することにより、高い平均色評価数を実現することが可能ではあるが、六種類の光を発するＬＥＤが必要であり、これらのＬＥＤの光束比を調整するための制御回路が複雑となり、また良好な混色を得るためには、ＬＥＤの配置や混色方法が困難となり、現実的ではない。
【０００４】
また、青色ＬＥＤと、この青色ＬＥＤの青色光を緑色に波長変換する蛍光体フィルタと、赤色ＬＥＤを組み合わせて、白色光を得るようにした白色ＬＥＤも知られている。
このような構成の白色ＬＥＤにおいては、青色ＬＥＤと蛍光体フィルタによる青緑色光と、赤色ＬＥＤの赤色光との光束比を調整することにより、相関色温度を調整することが可能である。
しかしながら、光源色の色度の軌跡が直線になることから、完全放射体の色温度軌跡またはＣＩＥにおける昼光の軌跡に準じた色度を得ることは困難である。
【０００５】
これに対して、特許文献１によれば、白色ＬＥＤ，緑色ＬＥＤ及び赤色ＬＥＤと、これらの各ＬＥＤからの白色光，緑色光及び赤色光を混色させる拡散部とを備えた色温度可変ＬＥＤ光源モジュールが開示されている。
このような構成の色温度可変ＬＥＤ光源モジュールによれば、各ＬＥＤからの光の光束比を適宜に調整し、拡散部により混色することによって、混色光の色温度を可変とすることができる。
【特許文献１】特開２００２−２７０８９９号公報
【発明の開示】
【発明が解決しようとする課題】
【０００６】
しかしながら、上記特許文献１による色温度可変ＬＥＤ光源モジュールにおいては、色温度を変更することは可能ではあるが、得られる混合色は、昼光色，昼白色，白色，温白色，電球色に限定したもので、ユーザが、自由に且つ容易に、連続的に色温度を可変とすることはできない。
【０００７】
本発明は、以上の点から、発光色の異なるＬＥＤの輝度比を変化させて混色した混色光の色温度を連続的に変化させることができるようにした、色温度連続可変照明装置及び色温度連続可変照明方法を提供することを目的としている。
【課題を解決するための手段】
【０００８】
上記目的は、本発明の第一の構成によれば、互いに発光色の異なる、それぞれ少なくとも一つの第一のＬＥＤ，第二のＬＥＤ，第三のＬＥＤと、各発光色のＬＥＤをそれぞれ駆動・発光させる第一の駆動部，第二の駆動部及び第三の駆動部と、上記各駆動部を指定された輝度比率で発光するように制御する制御部と、操作者の入力操作に応じて、指定された色温度または色に対応する指定信号を上記制御部に対して出力する色温度調整入力部と、を含んでおり、上記制御部が、前もって登録された各発光色の輝度比率のデータテーブルを参照して、上記指定信号に基づいて、指定された色温度または色に対応する各発光色の輝度比率を演算し、演算された各発光色の輝度比率に基づいて各駆動部を制御することを特徴とし、
さらに、前記色温度連続可変照明装置において、上記データテーブルが、複数ポイントの色温度または色を実現するための各発光色の輝度比率のデータテーブルであって、上記制御部が、上記指定信号に基づいて、上記データテーブルを参照して、上記ポイント間の色温度または色が指定されたとき、これらのポイント間にて直線補間法により、指定された色温度または色に対応する各発光色の輝度比率を演算することを特徴とする。
【０００９】
この第一の態様では、ユーザが色温度調整入力部にて所望の色温度または色を入力することにより、この色温度調整入力部から指定された色温度または色に対応する指定信号が制御部に出力される。
そして、制御部が、この指定信号に基づいて、データテーブルを参照して、指定された色温度または色に対応する各発光色の輝度比率を演算して、演算結果である各発光色の輝度比率に基づいて、各発光色のＬＥＤのための駆動部を制御する。
これにより、各発光色のＬＥＤが駆動部により駆動され、各発光色のＬＥＤが所定の輝度比率で発光する。従って、各発光色のＬＥＤから出射した光が、互いに混色されることによって、所望の色温度または色の混色光が得られることになる。
また、複数ポイントの間の色温度または色が選択された場合には、直線補間法により近似的に各発光色の輝度比率が演算され得る。
また、データテーブルが、複数ポイントに関する色温度または色度座標における各発光色の輝度比率のみを有していればよいので、データ数が少なくて済み、データテーブルが容易に作成可能であると共に、データテーブルが記憶装置に格納される場合には、占有メモリ容量が少なくて済むことになる。
【００１０】
この場合、混色光の色温度または色は、ユーザの色温度調整入力部に対する入力操作によって連続的に変化し得ることになる。従って、従来のように、色温度の異なる照明灯具に交換したり、色温度をスイッチで切換えることなく、色温度を変更することができると共に、入力操作による混色光の色温度の連続的な変化により、所望の色温度または色の混色光が容易に調整され得ることになる。
【００１１】
本発明の第二の態様による色温度連続可変照明装置は、前記第一の態様による色温度連続可変照明装置において、上記データテーブルが、色度座標上の色を実現するための各発光色の輝度比率のデータテーブルであることを特徴とする。
この第二の態様では、色度座標を利用したデータテーブルに基づいて、輝度比率を選定することによって、所望の色の混色光が得られるようになっている。
【００１２】
本発明の第三の態様による色温度連続可変照明装置は、前記第一の態様による色温度連続可変照明装置において、上記データテーブルが、黒体放射軌跡上の色温度を実現するための各発光色の輝度比率のデータテーブルであることを特徴とする。
この第三の態様では、黒体放射軌跡を利用したデータテーブルに基づいて、輝度比率を選定することによって、所望の色温度の混色光が得られるようになっている。
【００１３】
本発明の第四の態様による色温度連続可変照明装置は、前記第一から第三の何れかの態様による色温度連続可変照明装置において、上記データテーブルが、制御部に接続された記憶装置に格納されていることを特徴とする。
この第四の態様では、上記データテーブルが前もって作成され、記憶装置に格納されていることにより、上記制御部が、記憶装置に格納されたデータテーブルを容易に且つ迅速に参照して、輝度比率をより迅速に算出することができる。
【００１４】
また、前記第一から第五の何れかの態様による色温度連続可変照明装置において、上記発光色が、赤色，緑色及び青色であって、上記データテーブルが、ＲＧＢ輝度比率データテーブルとすれば、発光色を光の三原色である赤色，緑色及び青色とすることにより、一般的に普及している赤色ＬＥＤ，緑色ＬＥＤ及び青色ＬＥＤを使用することが可能であり、部品コストが低減され得ることになる。
【００１５】
本発明の第五の態様による色温度連続可変照明装置は、前記第三または第四の何れかの態様による色温度連続可変照明装置において、上記色温度調整入力部が、色温度の対数に対して線形の色温度信号を出力するように構成されており、上記データテーブルが、この線形の色温度信号またはこの色温度信号に所定の演算を行なった線形値に対する各発光色の輝度比率を与えることを特徴とする。
【００１６】
この第五の態様では、人間の色温度に対する感じ方が、低色温度では敏感であるが、高色温度では鈍感になることを考慮して、色温度の対数をとることによって、色に対する感覚的な特性に合った色温度の変化を呈示することができる。
従って、ユーザは、色温度調整入力部にて、違和感のない適度な色温度変化を設定することができる。
【００１７】
また、他の態様として前記第一から第五の何れかの態様による色温度連続可変照明装置において、上記データテーブルが、指定された色温度または色に対して、三つの発光色のうち、二つの発光色の輝度比率を与えるようにすることもできる。
この態様では、データテーブルが二つの発光色の輝度比率のみを与えるが、残りの発光色については、他の二つの発光色の輝度比率から容易に算出され得る。
従って、データテーブルにおけるデータ数が少なくて済むので、データテーブルが容易に作成可能であると共に、データテーブルが記憶装置に格納される場合には、占有メモリ容量が少なくて済むことになる。
【００１８】
本発明の第六の態様による色温度連続可変照明装置は、前記第一から第八の何れかの態様による色温度連続可変照明装置において、上記データテーブルが、各色の輝度比率の代わりに、これらの輝度比率に対応する数値を与えるデータテーブルであって、上記制御部が、この対応する数値に基づいて、各駆動部を制御し、
上記輝度比率に対応する数値が、各色の光束比率，ＬＥＤ駆動デューティ比，ＬＥＤ駆動電流または駆動電圧，ＬＥＤ光出力等のＬＥＤの輝度を調整することができる指標または係数による演算値であることを特徴とする。
【００１９】
この第六の態様では、制御部が、データテーブルが輝度比率の代わりに与える数値に基づいて、各発光色のＬＥＤのための駆動部を制御することにより、所望の輝度比率で各発光色のＬＥＤを発光させることができる。
また、テーブルが、輝度比率の代わりに、上記指標または係数による演算値、即ち上記制御部が、輝度比率に基づいて各駆動部の制御信号を演算する際の演算途中の計算値や、デューティ比，駆動電流，駆動電圧，光出力等の駆動制御値を与えることにより、所望の輝度比率で各発光色のＬＥＤを駆動制御することができる。
【００２０】
また、上記目的は、本発明の第二の構成（第七の態様）によれば、指定された色温度または色に対応する指定信号を生成する第一の段階と、前もって登録された各発光色の輝度比率のデータテーブルを参照して、上記指定信号に基づいて、指定された色温度または色に対応する各発光色の輝度比率を演算する第二の段階と、演算された各発光色の輝度比率に基づいて各駆動部に制御して、互いに発光色の異なる、それぞれ少なくとも一つの第一のＬＥＤ，第二のＬＥＤ，第三のＬＥＤを所定の輝度比率で駆動制御する第三の段階と、を含み、
上記データテーブルが、複数ポイントの色温度または色を実現するための各発光色の輝度比率のデータテーブルであって、上記第二の段階にて、上記指定信号に基づいて、上記データテーブルを参照して、上記ポイント間の色温度または色が指定されたとき、これらのポイント間にて直線補間法により、指定された色温度または色に対応する各発光色の輝度比率を演算することを特徴とする、色温度連続可変照明方法により、達成される。
【００２１】
この第七の態様では、第一の段階にて、ユーザが所望の色温度または色を指定することにより、指定された色温度または色に対応する指定信号を生成し、第二の段階にて、この指定信号に基づいて、データテーブルを参照して、指定された色温度または色に対応する各発光色の輝度比率を演算して、第三の段階にて、演算された各発光色の輝度比率に基づいて、各発光色のＬＥＤを駆動制御する。
この場合、混色光の色温度または色は、第一の段階におけるユーザの色温度または色の指定に対応して、連続的に変化し得ることになる。従って、従来のように、色温度の異なる照明灯具に交換したり、色温度をスイッチで切換えることなく、色温度を変更することができると共に、このような色温度の連続的な変化により、所望の色温度または色の混色光が容易に調整され得ることになる。
これにより、各発光色のＬＥＤが、所定の輝度比率で発光して、各発光色のＬＥＤから出射した光が、互いに混色されることによって、所望の色温度または色の混色光が得られることになる。
【００２２】
また、複数ポイントの間の色温度または色が選択された場合には、直線補間法により近似的に各発光色の輝度比率が演算され得る。データテーブルが、複数ポイントに関する色温度または色度座標における各発光色の輝度比率のみを有していればよいので、データ数が少なくて済み、データテーブルが容易に作成可能である。
【００２３】
さらに、他の態様として、前記第七の態様による色温度連続可変照明方法において、上記データテーブルが、色度座標上の色を実現するための各発光色の輝度比率のデータテーブルとすれば、、色度座標を利用したデータテーブルに基づいて、輝度比率を選定することによって、所望の色の混色光が得られるようになっている。
【００２４】
さらに、別の態様として、本発明の第七の態様による色温度連続可変照明方法において、上記データテーブルが、黒体放射軌跡上の色温度を実現するための各発光色の輝度比率のデータテーブルとすれば、黒体放射軌跡を利用したデータテーブルに基づいて、輝度比率を選定することによって、所望の色温度の混色光が得られるようになっている。
【００２５】
前記何れかの態様による色温度連続可変照明方法において、上記発光色が、赤色，緑色及び青色であって、上記データテーブルが、ＲＧＢ輝度比率データテーブルとすれば、発光色を光の三原色である赤色，緑色及び青色とすることにより、一般的に普及している赤色ＬＥＤ，緑色ＬＥＤ及び青色ＬＥＤを使用することが可能であり、部品コストが低減され得ることになる。
【００２６】
前記黒体放射軌跡上の色温度を実現するための各発光色の輝度比率のデータテーブルを用いた色温度連続可変照明方法において、上記第一の段階にて、色温度の対数に対して線形の指定信号を出力すると共に、上記データテーブルが、この線形の指定信号またはこの指定信号に所定の演算を行なった線形値に対する各発光色の輝度比率を与えることを特徴とすることもできる。
【００２７】
この場合には、人間の色温度に対する感じ方が、低色温度では敏感であるが、高色温度では鈍感になることを考慮して、色温度の対数をとることによって、色に対する感覚的な特性に合った色温度の変化を呈示することができる。
従って、ユーザは、色温度調整入力部にて、違和感のない適度な色温度変化を設定することができる。
【００２８】
さらに上記何れかの態様による色温度連続可変照明方法において、上記データテーブルが、指定された色温度または色に対して、三つの発光色のうち、二つの発光色の輝度比率を与えるように構成されていることを特徴とすることもできる。
この場合には、データテーブルが二つの発光色の輝度比率のみを与えるが、残りの発光色については、他の二つの発光色の輝度比率から容易に算出され得る。
従って、データテーブルにおけるデータ数が少なくて済むので、データテーブルが容易に作成可能であると共に、データテーブルが記憶装置に格納される場合には、占有メモリ容量が少なくて済むことになる。
【００２９】
本発明の第八の態様による色温度連続可変照明方法は、上記データテーブルが、各色の輝度比率の代わりに、これらの輝度比率に対応する数値を与えるデータテーブルであって、上記第三の段階にて、この対応する数値に基づいて各発光色のＬＥＤを駆動制御し、上記数値が、各色の光束比率，ＬＥＤ駆動デューティ比，ＬＥＤ駆動電流または駆動電圧，ＬＥＤ光出力等のＬＥＤの輝度を調整することができる指標または係数による演算値であることを特徴とすることを特徴とする。
【００３０】
この第八の態様では、データテーブルが輝度比率の代わりに与える数値に基づいて、各発光色のＬＥＤを駆動制御することにより、所望の輝度比率で各発光色のＬＥＤを発光させることができる。
テーブルが、輝度比率の代わりに、上記指標または係数による演算値、即ち、輝度比率に基づいて各発光色のＬＥＤを駆動するための制御パラメータを演算する際の演算途中の計算値や、デューティ比，駆動電流，駆動電圧，光出力等の駆動制御値を与えることにより、所望の輝度比率で各発光色のＬＥＤを駆動制御することができる。
【発明の効果】
【００３１】
以上のように、本発明によれば、指定された色温度または色に対応する指定信号を生成して、この指定信号に基づいて、データテーブルを参照して、指定された色温度または色に対応する各発光色の輝度比率等を演算することにより、演算された各発光色の輝度比率等に基づいて、各発光色のＬＥＤを駆動制御する。
これにより、各発光色のＬＥＤが、所定の輝度比率で発光して、各発光色のＬＥＤから出射した光が、互いに混色されることによって、所望の色温度または色の混色光が得られることになる。
そして、指定された色温度または色に対応する輝度比率等が、データテーブルを参照して、直線補間法を利用して演算されるので、演算が容易に且つ迅速に行なわれ得ることになる。
従って、本発明によれば、発光色の異なるＬＥＤの輝度比を変化させて混色した混色光の色温度を連続的に変化させることができるようにした、極めて優れた色温度連続可変照明装置及び色温度連続可変照明方法が提供され得ることになる。
【発明を実施するための最良の形態】
【００３２】
以下、この発明の好適な実施形態を図１から図８を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００３３】
図１は、本発明による色温度連続可変照明装置の一実施形態の構成を示している。
図１において、色温度連続可変照明装置１０は、色温度調整入力部１１と、制御部１２と、記憶部１３と、各発光色（この場合、赤色，緑色及び青色）用の三つの駆動部２１，２２，２３と、各発光色のＬＥＤ、即ち赤色ＬＥＤ，緑色ＬＥＤ及び青色ＬＥＤを含む発光部３０と、から構成されている。
【００３４】
上記色温度調整入力部１１は、例えばボリューム等により、連続的に変化し得る数値を入力することができるようになっている。
そして、上記色温度調整入力部１１は、指定された指示値を指定信号ｘとして、制御部１２に出力するようになっている。
さらに、上記色温度調整入力部１１は、上記ボリュームに隣接して、色温度設定の目安となる目盛り（図示せず）を備えており、ユーザは、この目盛りを見ながら、概略的に所望の色温度を設定することができるようになっている。
ここで、上記目盛りは、後述するように、操作性の観点から、色温度に対する対数目盛りとして表示されるようになっている。
【００３５】
上記制御部１２は、上記色温度調整入力部１１からの指定信号に基づいて、後述するデータテーブル１２ａを参照して、各発光色毎の輝度比率を演算するようになっている。
ここで、上記データテーブル１２ａは、例えば図２に示すように構成されており、色温度を低い方から順次に対数的に分割した区間Ａ〜Ｌに対して、それぞれ上記色温度調整入力部１１の目盛りに対応した指定信号ｘの区間最大値ｘと、当該区間における赤色ＬＥＤの直線近似式定数ａr ，ｂr とａg ，ｂg を与えるように、前もって作成されている。
【００３６】
そして、上記制御部１２は、このようなデータテーブル１２ａを参照して、指定信号ｘに基づいて、赤色ＬＥＤの輝度比率ｙr ，緑色ＬＥＤの輝度比率ｙg 及び青色ＬＥＤの輝度比率ｙb を、以下の式
（数１）  ｙr ＝ａr ・ｘ＋ｂr 
ｙg ＝ａg ・ｘ＋ｂg 
ｙb ＝１−ｙr −ｙg 
を利用して、所謂直線補間法により演算する。
その後、上記制御部１２は、これらの輝度比率ｙr ，ｙg 及びｙb に基づいて、各駆動部２１，２２，２３を制御して、発光部３０の赤色ＬＥＤ，緑色ＬＥＤ及び青色ＬＥＤの調光制御を行なう。
【００３７】
この場合、混色光の目標の輝度をＹとすると、各発光色のＬＥＤの目標輝度Ｙr ，Ｙg 及びＹb は、それぞれ以下の式、
（数２）  Ｙr ＝Ｙ×ｙr 
Ｙg ＝Ｙ×ｙg 
Ｙb ＝Ｙ×ｙb 
により求められる。
従って、上記制御部１２は、各発光色のＬＥＤを、これらの目標輝度Ｙr ，Ｙg 及びＹb で発光させるように、それぞれの調光制御量、例えばＰＷＭにおけるデューティ比等を決定して、駆動部２１，２２，２３を駆動制御するようになっている。
【００３８】
上記記憶部１３は、半導体メモリやハードディスクドライブ等の補助記憶装置であって、制御部１２と接続されており、上述したデータテーブル１２ａが、制御部１２から読み書き可能に格納されている。
【００３９】
上記駆動部２１，２２，２３は、上記制御部１２からの制御信号、即ち前述した調光制御量に基づいて、それぞれ発光部３０の赤色ＬＥＤ，緑色ＬＥＤ及び青色ＬＥＤを駆動する。
【００４０】
上記発光部３０は、各発光色のＬＥＤとして、赤色ＬＥＤ３１，緑色ＬＥＤ３２及び青色ＬＥＤ３３を備えていると共に、各ＬＥＤ３１，３２，３３から出射した光を互いに混色させるように、レンズ，反射板及び拡散板等から成る光学系３４を備えている。
これにより、各ＬＥＤ３１，３２，３３から出射した光は、光学系３４により互いに混色され、ほぼ均一な色、即ち指定された色温度の混色光として照射されるようになっている。
尚、各ＬＥＤ３１，３２，３３は、それぞれ一個以上の任意の個数が使用される。
【００４１】
ここで、上述したデータテーブル１２ａの作成方法について説明する。
まず、図３に示すように、黒体放射軌跡上にて、所定の色温度となるように、各ＬＥＤ３１，３２，３３の発光輝度を調整することにより、種々の色温度での輝度比率を実験により測定する。
図３において、黒体放射軌跡上に示された各点が、測定点である。
【００４２】
続いて、各測定点における各発光色の輝度比率が演算され、図４に示すように、色温度に対する各発光色の輝度比率のグラフが得られる。
ここで、図４のグラフは、色温度が対数目盛りで示された片対数グラフとして示されている。
これは、人間の色温度に対する感じ方（低色温度で敏感，高色温度で鈍感）を考慮して、違和感のない適度な色温度変化を呈示するためである。
【００４３】
そして、図４のグラフにおける色温度の対数をとり、色温度２０００Ｋから８００００Ｋまでの色温度範囲に関して、色温度調整目盛り（前述した指定信号）ｘで表わすことにより、図５のグラフが作成される。
このときの色温度と色温度調整目盛りｘとの関係は、図６のグラフに示すようになっており、色温度調整目盛りｘは、色温度の対数に対して線形になっている。
【００４４】
次に、図４のグラフにおける各輝度比率の曲線を折線近似するために、いくつかの区間（図示の場合、１２個の区間Ａ〜Ｌ）に分割し、各区間Ａ〜Ｌについて、各プロット間を直線により表わすことにより、図７に示すグラフが作成される。
そして、各区間Ａ〜Ｌ毎に、近似直線ｙ＝ａ・ｘ＋ｂにおけるａ値及びｂ値を各区間におけるｘの最大値と共に、テーブル化することにより、前述したデータテーブル１２ａが完成する。
ここで、青色光に関しては、赤色光及び緑色光の輝度比率が分かれば、前述した式により一義的に決まるため、データテーブル１２ａには含まれない。
このようにして得られたデータテーブル１２ａは、前述した記憶部１３に読み書き可能に格納される。
【００４５】
本発明実施形態による色温度連続可変照明装置１０は、以上のように構成されており、以下のように動作する。
まず、図８のフローチャートにおいて、ステップＳ１にて、ユーザが色温度調整入力部１１のボリュームを操作して、所望の色温度に対応する目盛りに合わせる。
これにより、ステップＳ２にて、上記色温度調整入力部１１は、ボリュームにより指定された指示値を指定信号ｘとして、制御部１２に出力する。
【００４６】
これを受けて、上記制御部１２は、ステップＳ３にて、記憶部１３からデータテーブル１２ａを読み込んで、ステップＳ４にて、上記色温度調整入力部１１からの指定信号ｘに基づいて、上記データテーブル１２ａを参照して、各発光色の輝度比率を直線補間法により演算する。
続いて、上記制御部１２は、ステップＳ５にて、演算した各発光色の輝度比率から、各駆動部２１，２２，２３のための調光制御量、例えばＰＷＭのデューティ比を算出して、ステップＳ６にて、この調光制御量に基づいて、各駆動部２１，２２，２３に対して制御信号を送出する。
【００４７】
これにより、ステップＳ７にて、各駆動部２１，２２，２３は、これらの制御信号に基づいて、それぞれ対応する発光部３０の赤色ＬＥＤ３１，緑色ＬＥＤ３２及び青色ＬＥＤ３３を駆動する。
そして、ステップＳ８にて、各発光色のＬＥＤ、即ち赤色ＬＥＤ３１，緑色ＬＥＤ３２及び青色ＬＥＤ３３が、所定の輝度比率で発光し、光学系３４により互いに混色されることにより、指定された色温度の混色光が照射される。
以上で、指定した色温度の混色光が得られることになる。
【００４８】
尚、実際に照射された混色光の色温度を変更したい場合には、ユーザは、色温度調整入力部１１のボリュームを操作して、所望の色温度に対応する目盛りに設定し、あるいは実際に発光部３０から照射される混色光の色を視認しながら、所望の混色光になるまで、上記ボリュームを操作すればよい。
【００４９】
このようにして、ユーザが色温度調整入力部１１のボリュームを操作することにより、発光部３０から照射される各発光色のＬＥＤ３１，３２，３３からの光の混色光の色温度を連続的に変更することができる。
【産業上の利用可能性】
【００５０】
上述した実施形態においては、互いに異なる発光色のＬＥＤとして、赤色ＬＥＤ３１，緑色ＬＥＤ３２及び青色ＬＥＤ３３が使用されているが、これに限らず、他の発光色のＬＥＤの組合せでもよいことは明らかである。
この場合、データテーブル１２ａは、これらの発光色にそれぞれ対応した輝度比率について作成されればよい。
【００５１】
また、上述した実施形態においては、データテーブル１２ａは、黒体放射軌跡上をトレースするような色温度の連続可変について説明したが、これに限らず、色度座標上をトレースするような色温度の連続可変の場合にも、本発明を適用し得ることは明らかである。
この場合、データテーブル１２ａを作成する際に、色度座標上での輝度比率について測定値を求めることにより、同様にデータテーブル１２ａが作成され得る。
【００５２】
さらに、上述した実施形態においては、データテーブル１２ａが、色温度に対する各発光色の輝度比率を与えるように構成されているが、これに限らず、所定の輝度比率となるように各発光色のＬＥＤ３１，３２，３３を駆動制御するための制御信号、例えばＰＷＭのデューティ比等の調光制御量や駆動電圧，駆動電流，光出力あるいは光束比率を与えるようにしてもよいことは明らかである。
【００５３】
このようにして、本発明によれば、発光色の異なるＬＥＤの輝度比を変化させて混色した混色光の色温度を連続的に変化させることができるようにした、色温度連続可変照明装置及び色温度連続可変照明方法を提供することができる。
そして、本発明による色温度連続可変照明装置及び色温度連続可変照明方法は、各種ＬＥＤ照明輝度として有効に利用可能である。
【図面の簡単な説明】
【００５４】
【図１】本発明による色温度連続可変照明装置の一実施形態の構成を示すブロック図である。
【図２】図１の色温度連続可変照明装置で使用されるデータテーブルの一例を示す図である。
【図３】図２のデータテーブル作成のための黒体放射軌跡上の色温度測定結果を示すグラフである。
【図４】図３の測定結果による色温度と各発光色の輝度比率との関係を示すグラフである。
【図５】図３及び図４のグラフにおける色温度と色温度調整目盛りとの関係を示すグラフである。
【図６】図３の測定結果による色温度調整目盛りと各発光色の輝度比率との関係を示すグラフである。
【図７】図５のグラフを折線近似したグラフである。
【図８】図１の色温度連続可変照明装置の動作を示すフローチャートである。
【符号の説明】
【００５５】
１０    色温度連続可変照明装置
１１    色温度調整入力部
１２    制御部
１２ａ  データテーブル
１３    記憶部
２１，２２，２３    駆動部
３０    発光部
３１，３２，３３    ＬＥＤ
３４    光学系
【図１】
2007250350.tif 000003
【図２】
2007250350.tif 000004
【図３】
2007250350.tif 000005
【図４】
2007250350.tif 000006
【図５】
2007250350.tif 000007
【図６】
2007250350.tif 000008
【図７】
2007250350.tif 000009
【図８】
2007250350.tif 000010